(57)【要約】本発明は、別個の預金として存在する紙幣の処理装置および方法に関するものである。  個々の預金の処理信頼性を向上させるために、各預金の先頭および／または最後が認識され、預金毎に別個のキャリヤを使用して、預金の輸送および処理を実施する。
2005530247.tif 000002
【特許請求の範囲】
【請求項１】
別個の預金として存在する紙幣の処理方法であって、
各預金（１〜４）の先頭および／または最後を確認し、前記各預金の紙幣を個別のキャリヤ（７１〜７４）に送給し、各キャリヤ（７１〜７４）を、１つの預金（１〜４）の紙幣を処理のために輸送することを特徴とする紙幣の処理方法。
【請求項２】
前記預金（１〜４）の情報（Ｉ）を検出し、該検出した前記預金（１〜４）の情報（Ｉ）を前記預金（１〜４）の特定のキャリヤ（７１〜７４）に結びつけることを特徴とする請求項１記載の方法。
【請求項３】
前記預金（１〜４）を、少なくとも１枚の区分カード（ＴＫ）の送給によってサブユニットに分割し、前記区分カード（ＴＫ）を前記紙幣の処理中に認識し、よって前記預金（１〜４）のサブユニットを口座に入れることができることを特徴とする請求項１または２記載の方法。
【請求項４】
前記預金（１〜４）が、それぞれ帯封を備えた１つまたは複数の札束によって形成され、前記帯封を、前記札束が前記特定のキャリヤ（７１〜７４）に送給される前に前記札束から外すことを特徴とする請求項１から３のいずれか１項記載の方法。
【請求項５】
前記帯封を、前記預金（１〜４）および／またはサブユニットに登場する順に格納し、該帯封を、対応する紙幣の処理の正常終了後に保管状態から取り外し、かつ前記帯封を、前記預金および／またはサブユニットに金額のずれが確認された後に検査および／または調査のために提供することを特徴とする請求項４記載の方法。
【請求項６】
各帯封の画像を記録しかつ記憶することを特徴とする請求項４または５記載の方法。
【請求項７】
前記預金（１〜４）のサブユニットに生じた金額のずれを互いに清算することを特徴とする請求項３から６のいずれか１項記載の方法。
【請求項８】
或る預金者の預金を該預金者に由来する条件にしたがって処理し、該条件が前記情報（Ｉ）から導出されることを特徴とする請求項１から７のいずれか１項記載の方法。
【請求項９】
別個の預金として存在する紙幣を、枚葉機（５０）、輸送システム（５１）、検査装置（５２）、保管装置（５３）および制御装置（５７）を備えた紙幣処理機（５０〜５７）を用いて処理する装置であって、前記預金（１〜４）を収容するキャリヤ（７１〜７４）を前記枚葉機（５０）に輸送する輸送装置（６０）を備えた装置において、
各預金（１〜４）の先頭および／または最後を検出するセンサ（６２）と、各預金（１〜４）の紙幣が個々のキャリヤ（７１〜７４）内に送給される充填位置とをさらに備え、各キャリヤ（７１〜７４）が１つの預金の紙幣を処理のために前記枚葉機（５０）に輸送することを特徴とする紙幣の処理装置。
【請求項１０】
前記先頭および／または最後（Ｉ３）を認識するセンサ（６２）が前記預金（１〜４）の情報（Ｉ）を検出し、該検出された前記預金（１〜４）の情報（Ｉ）が１つの預金（１〜４）の特定のキャリヤ（７１〜７４）に結びつけられ、この目的のために、前記キャリヤ（７１〜７４）の固有のマーク（８１〜８４）が第１のセンサ（６１）により検出されることを特徴とする請求項９記載の装置。
【請求項１１】
前記キャリヤ（７１〜７４）内に収容されている紙幣を前記紙幣処理機（５０〜５７）により処理するために、前記キャリヤ（７１〜７４）の固有のマーク（８１〜８４）を検出する第２のセンサ（６１′）が設けられていることを特徴とする請求項１０記載の装置。
【請求項１２】
前記預金（１〜４）を区分するために、区分カード（ＴＫ）が前記充填位置において送給され、該区分カード（ＴＫ）は、前記預金（１〜４）の紙幣の計算（accounting）を分割できるように検査装置（５２）により認識されることを特徴とする請求項９から１１のいずれか１項記載の装置。
【請求項１３】
前記預金（１〜４）が、それぞれ帯封を備えた１つまたは複数の札束によって形成され、前記札束が前記特定のキャリヤ（７１〜７４）内に送給されるのに先立って、前記充填位置において前記帯封が前記札束から外されることを特徴とする請求項９から１２のいずれか１項記載の装置。
【請求項１４】
前記帯封が前記預金（１〜４）および／またはサブユニットに登場する順に格納装置（６３）が前記帯封を格納し、該格納装置（６３）は、前記紙幣の処理が正常終了後に、前記帯封を廃棄のために取り外し、かつ前記格納装置（６３）は、前記預金および／またはサブユニットの処理の異常終了後に、前記帯封を検査および／または調査（６６）のために提供することを特徴とする請求項１３記載の装置。
【請求項１５】
前記センサ（６２）が各帯封の画像を作成し、該画像が前記制御装置（５７）に記憶されることを特徴とする請求項１３または１４記載の装置。
【発明の詳細な説明】
【技術分野】
【０００１】
本発明は、別個の預金として存在する紙幣を処理する装置および方法に関する。
【背景技術】
【０００２】
別個の預金として存在する紙幣を処理する装置および方法は公知である。別個の預金は、紙幣処理機による処理に先立ち、これから行われる処理のための準備が施される。この目的のために、預金の特定のデータまたは情報を検出し、紙幣処理機がこの情報を処理に利用できるようにする。上記データは、預金者に関する情報、口座番号、預金を構成する紙幣の枚数および金額等とすることができる。紙幣処理機による連続処理を可能にするために、異なる預金間に挿入された区分カードによって預金間の区分が行われている。紙幣処理機は、処理中にこれらの区分カードを認識し、したがって新たな預金の先頭を認識する。
【０００３】
預金はいくつかのサブユニット（小貯金）から構成することができる。サブユニットは、例えば、商店の支店における各現金入れまたは支店銀行における各窓口の日収を含むことができる。このようなサブユニットは、一般に担当出納係によって作成され、例えば帯封によって他と区別される。これらの帯封には通常、例えば特定の捺印および／または署名によって作成責任者を識別する情報が記載されている。上記帯封には、預金者に関する情報、すなわちチェーン店または銀行の名称が記載されていることも多い。
【０００４】
帯封によるサブユニットの区分は、或る額面の紙幣を所定の枚数束ねること、例えば１００ユーロ紙幣を１００枚束ねることなどに用いられることが多い。
【０００５】
さらにサブユニットの区分には、預金者および作成責任者に関する情報が記載された封止袋、例えば安全袋、または封止された封筒を用いることも可能である。
【０００６】
処理をさらに簡素にするために、チェーン店または銀行の上記サブユニットは、預金金額を記載した送り状とともに、現金処理センタに輸送される輸送容器に詰め込まれる。現金処理センタでは、送り状に記載された金額が上記預金に含まれているか否かをチェックし、預金者の口座に貸方記入を行なう。しかしながら、もしこのチェックで金額のずれが確認されたり、偽造紙幣が発見された場合に、この金額のずれについて責任を引き受けることができるように、あるいは偽造を見逃した証人として尋問を受けることができるように、そのサブユニットの作成責任者を決定する必要がある。これにより、チェックが完了するまで１つのサブユニットに関するすべての情報を維持する必要があるとともに、金額が確認されて口座に入れられるまでそのサブユニットの紙幣を他の紙幣と混ぜてはならない。上記サブユニットの区分および識別は、異なるサブユニット間に挿入される区分カードによっても同様に行なうことができる。
【０００７】
預金すなわちこの預金を構成する紙幣の処理の連続性を改善するために、いわゆるキャリヤという容器を用いることが、例えば特許文献１によって知られている。異なる預金の紙幣は、預金を区分する区分カードとともに上記キャリヤに挿入されて、紙幣処理機に供給される。この場合、キャリヤは輸送装置によって次々に紙幣処理機の枚葉機領域に輸送され、紙幣処理機内での処理のために、枚葉機によって１枚ずつキャリヤから取り出される。
【特許文献１】ドイツ国特許公開第１９５ １２ ５０５ Ａ１号明細書
【発明の開示】
【発明が解決しようとする課題】
【０００８】
しかしながら、別個の預金として存在する紙幣を処理するための公知の装置および方法による紙幣の処理においては、紙幣処理機に異常が生じた場合には、区分カードを用いた異なる預金の正しい区分および統合も、もはや保証されないことが判明している。これは、紙幣が紙幣処理機を通過している最中に詰まりが生じると、紙幣処理機内の紙幣の順番が変わる可能性があることに由来する。この場合、異なる預金の紙幣が混ざり、すなわち、区分カードの後の預金に属する紙幣が、詰まりによって区分カードの前に移り、したがって、区分カードの前の預金に間違って割り当てられる、といったことが繰り返される。この場合、預金を正確に区分することがが殆ど不可能になるか、あるいは極めて長い時間を要することになる。
【０００９】
したがって、本発明の課題は、処理中に異常が発生したとしても、可能な限り連続的な預金の処理を行ないながら、預金を確実に区分できる、別個の預金として存在する紙幣の処理装置および方法を特定することにある。
【課題を解決するための手段】
【００１０】
上記課題は、請求項１および９の特徴部分によって解決される。
【００１１】
本発明は、各預金の先頭および／または最後を認識し、預金を処理機に輸送するために預金毎について別個のキャリヤを使用するという着想を基礎とするものである。
【００１２】
本発明の利点は、預金毎に別個のキャリヤを使用することにより、各預金をあるキャリヤに一意的に割り当てることができるので、各預金を確実に区分できることにある。さらに、１つの預金の処理後にキャリヤを交替させることにより短時間の中断が生じ、異なる預金を確実に互いに区分できる。紙幣処理機内にある預金の紙幣は一般に完全に処理されるので、すなわち重ね合わされて口座に入れられるので、この区分は、次の預金の紙幣が処理のために紙幣処理機に達する以前に紙幣処理機によって実行される。もしキャリヤ交換の時間の長さが、混合を確実に回避するには短すぎる場合には、キャリヤの交換を遅らせてもよい。これにより、異なる預金の紙幣の混合を回避できる。
【００１３】
本発明の発展例では、キャリヤは、区分カードによって区分され、かつ連続的に供給可能な複数のサブユニットに区分された１つの預金を受容する。
【００１４】
１つの預金の複数のサブユニット間に区分カードを用いることにより、預金の連続的な供給が可能になり、これによって、複数のサブユニットの個別の勘定も可能になる。しかしながら、紙幣処理機に誤動作が発生した場合には、上述したように、サブユニットに対する紙幣の一意的な割り当てが損なわれ、金額の確定に誤りを生じる。ほとんどの場合、このような分類エラーは１つの預金内で互いに清算されるので、預金は送り状によって貸方記入がなされ、発生した金額のずれは追及されない。しかしながら、サブユニット内の清算不可能な金額のずれの場合には、各場合毎に預金金額が正しく確定され、送られた実際の金額に従って貸方記入がなされる。比較的稀な紙幣処理機の誤動作の場合にのみエラーが起こり得るので、欠陥のあるサブユニットが高い確率で正しく判定される。したがって、本発明の利点は、セキュリティレベルのやや低い、内部に含まれるサブユニットの確認と組み合わせて、極めて高いセキュリティレベルに従う預金の効率の良い連続的処理が可能になることである。
【００１５】
本発明の他の利点は、従属請求項ならびに図面を参照した実施の形態の説明から明らかになるであろう。
【発明を実施するための最良の形態】
【００１６】
図１は、別々の預金として存在する紙幣を処理するための装置の概略的構成を示す図である。
【００１７】
紙幣処理装置は、実質的に紙幣処理機５０〜５７から構成されている。紙幣処理機は、枚葉機５０と、輸送システム５１と、検査装置５２と、保管装置５３と、制御装置５７とを備えている。処理されるべき紙幣は、枚葉機５０によって掴まれ、１枚ずつ輸送システム５１に移される。輸送システム５１は、紙幣を、紙幣の種々の特性を検査する複数のセンサからなる検査装置５２に通して１枚ずつ輸送する。検査装置５２に提供されたデータは、制御装置５７によって評価され、複数のポケット５４〜５６を備えた保管装置５３内における紙幣の保管を制御する。上記した紙幣処理装置５０〜５７は、例えば紙幣の真正性および額面の検査と、処理のための確定した金額の提供ために使用することができる。これにより、例えば各預金が何枚の紙幣を含んでいるか、総額はいくらかの判断が可能になる。さらに、制御装置５７の制御の下に輸送システム５１によって額面の異なる紙幣を額面によって分類して、保管装置５３の種々のポケット５４〜５６に輸送することができ、
図１はさらに４個の別個の預金１〜４の処理を示す。
【００１８】
預金１〜４はそれぞれ、帯封を用いて形成された１つまたは複数の札束からなる。預金間の境界を識別するたまに、預金の先頭の札束にはマークが付される。預金の最後、すなわち預金の最後の札束に、あるいは預金の先頭と最後の札束にマークを付してもよい。このようなマーク付けは、例えばバーコードの印刷または貼付けによって、あるいは特定の色彩および／またはマーク位置のカラーマークによって行なうことができる。
【００１９】
個々の預金１〜４の札束から帯封が外され、個々の預金１〜４の縛られていない札束がキャリヤ７１〜７４に挿入される。各預金１〜４毎に各キャリヤ７１〜７４に挿入される。図１に示されているように、キャリヤ７１は第１の預金１のみを収容し、キャリヤ７２は第２の預金２のみを収容し、キャリヤ７３は第３の預金３のみを収容し、等々。キャリヤ７１〜７４のこの明確な識別のために、キャリヤ７１〜７４には固有のマーク８１〜８４が付されている。
【００２０】
紙幣処理機５０〜５７による預金１〜４の処理時には、第１の預金１の紙幣が先頭に枚葉機５０によってキャリヤ７１から掴み出され、この第１の預金１が制御装置５７によって口座に入れられる。第１の預金１への割当てを可能にするために、キャリヤ７１のマーク８１を検出するセンサ６１′が設けられ、その情報を制御装置５７に提供する。第１の預金１のすべての紙幣が枚葉され、処理された後、第２の預金２を収容したキャリヤ７２が制御装置５７の制御の下に輸送装置６０によって枚葉機５０の領域に運ばれ、第２の預金２が紙幣処理機５０〜５７によって処理される。別の預金またはキャリヤも同様に処理される。
【００２１】
図２は、第３の預金３が処理のために準備されている実例によって図１の装置の詳細を示す。
【００２２】
第３の預金３は、帯封３５〜３８によって形成された４個の札束３１〜３４からなる。帯封３５〜３８は、預金３または個々の札束３１〜３４を特定する情報Ｉを備えている。情報Ｉは第１の情報Ｉ１を備え、これは例えば預金者に関する情報を提供し、および／またはそれ自体のみの特定番号、例えば預金者に割り当てられた各札束についての一貫した番号を有する。さらに、預金内でのさらなる細分類を可能にする第２の情報Ｉ２が存在する。１つの預金内で同一の第２の情報Ｉ２を備えた複数の札束は例えば組になっていると見なされる。第１の札束３１の帯封３５の第３の情報Ｉ３は、第３の預金３の先頭を示す上述した目的を果たす。この第３の情報Ｉ３は、預金が完全に形成された後に預金の第１の束の帯封に貼付けることができる例えばドットからなる。他の場合には、第３の情報Ｉ３は、例えば輸送容器の配送と開放が許可された場合に現金処理センタによって施されるバーコードとすることができる。情報Ｉはセンサ６２によって検出され、制御装置５７に提供される。
【００２３】
図示された時点では、第１の札束３１が既に用意され、この第１の札束３１の紙幣がキャリヤ７３内に収容されている。第３の預金３の第１の札束３１の第１の帯封３５が、新たな預金の先頭を特定する第３の情報Ｉ３を含んでいるので、輸送装置６０は、制御装置５７の制御の下に、空のキャリヤ７３を既に充填位置に運んでいる。第３の預金に対するキャリヤ７３の割当ては、検出されたマーク８３のデータを制御装置５７に提供するセンサ６１によるキャリヤ７３の固有のマーク８３の検出によって実行される。制御装置５７は、キャリヤ７３のマーク８３を第３の預金３の帯封３５〜３８の情報Ｉに結びつける。
【００２４】
図２に示された時点では、第２の札束３２の帯封３６が、例えば滑り外しまたは切断によって第２の札束３２から正に外されたところである。第２の札束３２の帯封３６の情報Ｉはセンサ６２によって検出され、制御装置５７に提供される。この情報Ｉは、上述のようにキャリヤ７３もしくはそのマーク８３に割り当てられる。第２の札束３２に関する第２の情報Ｉ２（Ｙ）は、第１の札束３１の第２の情報Ｉ２（Ｘ）と異なっているので、預金３内のサブユニットに関わる問題となる。例えば、預金３は、個別に計算される異なるレジからの日収であり得る。この理由で、キャリヤ７３に収納された第１の札束３１の紙幣上に区分カードＴＫが置かれて、第１の札束３１の紙幣と第２の札束３２の紙幣とが区分され、紙幣処理機５０〜５７における個々の計算を可能にしている。この区分カードＴＫは、それ自体のみの特徴、例えば後の処理時に紙幣処理機５０〜５７において評価される識別番号を同様に備えることができる。区分カードＴＫの供給は、ここでは図示しない発給機によって行なわれ、この発給機は、予め作成された区分カードの積み重ねから１枚の区分カードＴＫを取り出して、その識別番号を制御装置５７に報告する。これにより、センサ６２によって検出された帯封上の情報が区分カードＴＫに結びつけられる。
【００２５】
第１および第２の札束３１，３２の帯封３５，３６は、格納装置６３内に保持され、紙幣処理機５０〜５７による預金３の処理時における上記格納装置６３の機能は、後述で説明されている。
【００２６】
第２の札束３２の帯封３６の情報Ｉの検出後、第２の札束３２の紙幣はキャリヤ７３の区分カードＴＫ上に配送される。次いで第３の預金３の残った札束３３，３４が、上述した態様で取り扱われる。帯封上に設けられている第３の情報Ｉ３を通じて、第４の預金４の先頭がセンサ６２によって検出されるやいなや、キャリヤ７３は、制御装置５７の制御の下に輸送装置６０によって運び去られ、次のキャリヤ７４が輸送装置６０によって充填位置に輸送される。
【００２７】
図３は、預金１〜４の処理中に金額のずれが生じた場合のチェックのために預金１〜４に含まれる帯封１２〜４６の取扱いを示す。
【００２８】
帯封１２〜４６の取扱いは、情報Ｉがセンサ６２によって検出された後に帯封１２〜４６が保持される上述した格納装置６３によって行なわれる。紙幣処理機５０〜５７による預金１〜４の紙幣の処理中に金額のずれが生じなければ、帯封１２〜４６は廃棄される。このことは、例えば預金者によって提供された情報、特に預金総額に関する情報が、紙幣処理機５０〜５７によって確定された値に一致することを意味する。
【００２９】
格納装置６３は、先頭に格納装置６３に入力された帯封１２，２２，‥‥‥が格納装置６３からこの順で出力されるいわゆる先入れ先出しストレージとして構成されている。この目的のために、帯封は、制御装置５７によって制御される切換え器６４を介して格納装置６３から取り除かれる。もし確定された全額が預金者の預金に関する計算書と一致していれば、預金またはサブユニットの帯封は切換え器６４および輸送路６５を介して廃棄ユニット６７に供給される。金額のずれが発生すると、預金またはサブユニットの帯封の全て、あるいは制御装置５７によって金額のずれがあると認識された預金またはサブユニットの帯封がチェックのために輸送路６６を介して提供される。チェックのために、例えば出力／入力装置６８，６９、例えば制御装置５７に接続されたＰＣを設けることができる。上記出力／入力装置６８，６９は、センサ６２によって検出不能であった帯封上の情報を例えばオペレータが入力することも、障害のある札束が他の態様（例えば挿入袋）で固定または接続され得る、預金者に関する矛盾ログのプリントアウトも可能にする。
【００３０】
格納装置６３は、単純な堆積場として、またはポケットを備えた連続的コンベアベルトとして、または巻付けステーションとして構成することができる。個々のポケットの識別は、例えばコード化されたポケット番号または輸送路の検出の形態で、制御装置５７が受け入れられた帯封を追跡し、かつそれらを切換え器６４を介して出力に割り当てることを可能にする。
【００３１】
出力／入力装置６８，６９のさらなる用途において、制御装置５７は預金のすべての関連情報を表示することができる。かくしてオペレータは預金のサブユニットの矛盾をチェックすることができ、もし必要であれば、矛盾が機械の誤動作によって生じたという信憑性のある指示であれば、転送によってそれらを修正する。この場合、帯封は廃棄ユニット６７に供給される。もしサブユニットに関して修正不能な矛盾が確認されれば、付属する帯封は、後の調査のためにキープされ、矛盾ログに添付される。
【００３２】
図１〜図３に示された実施の形態においては、格納装置６３に記憶される帯封の順番は、枚葉機５０によって紙幣処理機５０〜５７に供給される札束の紙幣の順番とは一致しない。札束は、預金の所定の順番（例えばキャリヤ７３または預金３において、札束の順番は、３１，３２，３３，３４）でキャリヤに送給されるが、紙幣処理機５０〜５７（図１）の枚葉機５０は、キャリヤ内の最上位の紙幣を掴むので（例えばキャリヤ７３または預金３において、掴まれる札束の順番は、３４，３３，３２，３１）この結果となる。この結果は、格納装置６３にキープされる帯封に関する各預金の順番と逆になる（例えば預金３では、帯封の順番が３８，３７，３６，３５ではなく、３５，３６，３７，３８）。しかしながら、この問題は、例えば最下位の紙幣を先頭に掴む枚葉機を用いることによって直ちに解決される。同様に、預金の紙幣またはそれらの帯封を集め、キャリヤまたは格納装置６３に挿入する以前に順番を逆にすることも可能である。さらに制御装置５７により、格納装置６３からの帯封の出力を考慮して変更された預金内の順番に修正することも可能である。
【００３３】
特別の実施の形態においては、センサ６２が、帯封に含まれるすべての情報を映像として走査し、この映像を記憶のために制御装置５７へ送信する走査装置を備えることができる。このような走査装置は、例えば札束の表面および／または裏面、特に帯封領域を映像化するデジタルカメラで構成することができる。もしこの映像が、帯封またはサブユニット作成者の完全かつ明瞭な識別に十分であれば、さらなる帯封の物理的組み込み、したがって格納装置６３が不要になる。この場合、センサ６２で読み取られた情報は金額ずれ履歴上にプリントされる。帯封上の情報の電子データ処理により、中央部署宛ての金額ずれ履歴が管理され、プリントされ、および／または電子チャンネル、例えばｅメールを通じて中央部署から提出者に送られる。
【００３４】
別個の預金として存在する紙幣の処理装置および方法に関する上述した実施の形態に加えて、多数の可能性のある変形がある。
【００３５】
例えば、帯封３５〜３８のみでなく、キャリヤ７１〜７４のマーク８１〜８４、区分カードＴＫも、例えばバーコード、文字数字併用記号等を用いて識別コード化することができるが、非接触的または接触的に読みおよび／または書くことができる、例えばトランスポンダのような電気または電子回路を備えることもできる。これらの場合、預金の情報Ｉを検出および／または書き込むためのセンサ６２、キャリヤ７１〜７４の固有のマーク８１〜８４を検出および／または書き込むためのセンサ６１，６１′、および区分カードＴＫを検出および／または書き込むためのセンサはそれに対応して設計されなければならない。もしデータの書込みが可能であれば、固有のマーク８１〜８４および区分カードＴＫに預金の情報を記憶させることも可能である。次にこの記憶された情報が、紙幣処理機５０〜５７（センサ６１′、検査装置５２）における紙幣の処理中に読み取られる。この場合、制御装置５７とセンサ６１および６２との接続は外すことができる。
【００３６】
別個の預金が極めて多額であれば、これら多額の預金に関して２個またはそれ以上のキャリヤを用いることができ、その際に、使用されるキャリヤの固有のマークは預金毎に割り当てられる。この場合、中断のないキャリヤの交替に伴う紙幣の連続的処理により、紙幣処理機５０〜５７の効率を最高にすることができる。
【００３７】
さらに、預金またはサブユニットが完全にまたは部分的に束ねられないで、すなわち、いずれのサブユニットも帯封を備えずに、あるいは一部のみしか帯封を備えないで、存在することも可能である。その場合、適当な他の手段、例えば特別のマークを備えた区分カードを用いて、あるいは、それぞれ１つの預金を収容する容器を用いて、預金の先頭および／または最後を識別することができる。
【００３８】
預金の先頭および／または最後は、帯封上の例えば預金者に関する第１の情報Ｉ１からも齎される。もし連続する複数の札束において預金者が同一であれば、それらの札束は複数のサブユニットを組み入れた１つの預金として処理される。もし預金者が異なれば、制御回路が、第３の情報Ｉ３を必要とせずに新らたな預金の先頭を検出する。
【００３９】
上記第１の情報Ｉ１を使用するさらなる場合には、預金の処理が異なる方法で行なわれるように、制御回路５７がプログラムされる。第１の預金者は、すべてのサブユニットが預金と同じセキュリティレベルで処理されるように、したがって１つのキャリヤにつき１つのみのサブユニットが許容されるように例えば現金処理センタと打ち合わせることができる。第２の預金者は、すべてのサブユニットが個別には処理かつ口座に入れず、したがってサブユニット間には区分カードが用いられないことを打ち合わせることができる。したがって、現金処理センタは、セキュリティレベルを、したがって処理コストを預金者の希望に適合させることができる。
【００４０】
輸送コンテナ内に収容されたサブユニットは、袋および／または封筒に詰めることができる。この袋および／または封筒は、帯封と同様の態様で読まれかつ処理されることが可能である。
【００４１】
充填位置における帯封の取り外しのような、上述のかつ図示されたすべての処理ステップは、対応する機械的手段によって人手でまたは自動的に行なうことができる。
【００４２】
さらに、制御装置５７に関して説明された機能は、協働する複数の制御装置によって実行されることが可能である。例えば、上記紙幣処理機のための制御装置は、センサ６１，６１′および６２、輸送装置６０ならびに格納装置６３〜６６のための制御装置と協働するように設けることができる。
【図面の簡単な説明】
【００４３】
【図１】別個の預金として存在する紙幣を処理する装置の全体的構成を示す概略図である。
【図２】処理のために準備中である図１に示す装置の詳細図である。
【図３】預金の処理中に金額のずれが発生した場合の検査のための、預金に設けられた帯封の取扱いを示す図である。
【符号の説明】
【００４４】
１，２，３，４    預金
３１，３２，３３，３４    札束
３５，３６，３７，３８    帯封
５０    枚葉機
５１    輸送システム
５２    検査装置
５３    保管装置
５７    制御装置
６１，６１′，６２    センサ
７１，７２，７３，７４    キャリヤ
８１，８２，８３，８４    マーク
【図１】
2005530247.tif 000003
【図２】
2005530247.tif 000004
【図３】
2005530247.tif 000005
【国際調査報告】
2005530247.tif 000006
2005530247.tif 000007
2005530247.tif 000008
2005530247.tif 000009
2005530247.tif 000010
2005530247.tif 000011